(57)【特許請求の範囲】
【請求項１】
複数の現用ユニットと、１または複数の予備ユニットと、前記複数の現用ユニットから出力される相互に周波数が異なる出力信号を混合して出力する混合部を有する信号処理装置において、
前記混合部から出力される信号を入力する入力手段と、
前記入力手段から入力される信号から各現用ユニットの出力信号を抽出して当該出力信号の状態を監視する監視手段と、
前記監視手段によって前記現用ユニットのうちいずれか１またはいずれか複数の現用ユニットの出力信号の状態が正常でないと判定された場合には、出力信号の状態が正常でないと判定された当該現用ユニットの動作を停止させるとともに、前記予備ユニットの個数を上限として、当該現用ユニットの設定情報を取得して、前記予備ユニットに設定して現用ユニットとして動作を開始させる制御を行う制御手段と、
を有し、
前記制御手段は、前記監視手段によって前記現用ユニットのうちいずれか１またはいずれか複数の現用ユニットの出力信号の状態が正常でないと判定された場合であって、当該現用ユニットに入力される入力信号の状態が正常であると判定されたときには、当該現用ユニットの動作を停止し、前記予備ユニットに現用ユニットとして動作を開始させる、
ことを特徴とする信号処理装置。
【請求項２】
前記監視手段は、前記入力手段から入力される出力信号を周波数毎に抽出して、出力信号の状態を監視する、
ことを特徴とする請求項１に記載の信号処理装置。
【請求項３】
複数の現用ユニットと、１または複数の予備ユニットと、前記複数の現用ユニットから出力される相互に周波数が異なる出力信号を混合して出力する混合部を有する信号処理装置において、
前記混合部から出力される信号を入力する入力手段と、
前記入力手段から入力される信号から各現用ユニットの出力信号を抽出して当該出力信号の状態を監視する監視手段と、
前記監視手段によって前記現用ユニットのうちいずれか１またはいずれか複数の現用ユニットの出力信号の状態が正常でないと判定された場合には、出力信号の状態が正常でないと判定された当該現用ユニットの動作を停止させるとともに、前記予備ユニットの個数を上限として、当該現用ユニットの設定情報を取得して、前記予備ユニットに設定して現用ユニットとして動作を開始させる制御を行う制御手段と、
を有し、
前記制御手段は、前記監視手段によって前記現用ユニットのうちいずれか１またはいずれか複数の現用ユニットの出力信号の状態が正常でないと判定された場合であって、出力信号の状態が正常でないと判定された当該現用ユニットに入力される入力信号の状態が正常でないと判定されたときには、当該現用ユニットの動作を停止せず、上位の装置に対して前記入力信号が異常であることを通知する、
ことを特徴とする信号処理装置。
【請求項４】
前記監視手段は、前記入力手段から入力される出力信号を周波数毎に抽出して、出力信号の状態を監視する、
ことを特徴とする請求項３に記載の信号処理装置。
【発明の詳細な説明】
【技術分野】
【０００１】
本発明は、デジタル信号選択装置に関するものである。
【背景技術】
【０００２】
特許文献１には、図１１に示すように、現用系に障害が発生すると、現用系内の障害検出回路２ａによって検出され、予備系１ｂの障害検出回路２ｂに通知されるとともに、制御信号４ａを介してバスインターフェース３ａを無効にし、現用系の出力データ７ａを停止する。予備系の障害検出回路２ｂでは、現用系からの障害通知信号９を受け取ると、予備系が正常なときは予備系内のバスインターフェース３ｂでは、予備系の入力データ５ａを出力データ７ｂとして出力する技術が開示されている。
【０００３】
また、図１２に示すように、分配部２１から出力される信号を複数のユニット２２−１〜２２−３によって処理し、これら複数のユニット２２−１〜２２−３から出力される信号を混合部２３で混合して出力する従来技術も存在する。このような従来技術では、現用のユニット２２−１〜２２−３が異常検出部２２−１ａ〜２２−３ａを内蔵しており、自ユニットに異常が発生した場合には、異常検出部２２−１ａ〜２２−３ａがこれを検出して制御部２４に伝える。この結果、制御部２４は、異常が発生した現用のユニットを停止し、予備のユニット２２−４を起動して、予備を現用に切り換える。
【先行技術文献】
【特許文献】
【０００４】
【特許文献１】特開平０５−０３５５１７号公報
【発明の概要】
【発明が解決しようとする課題】
【０００５】
ところで、図１１および図１２に示す従来技術では、障害検出回路または異常検出部にそれぞれ予め設定されている障害以外に対しては切り換え動作を実行することができないことから、例えば、設計時には想定していなかった後発的に生じた障害に呼応して予備を現用に切り換えることができないという問題がある。
【０００６】
本発明は、以上の点に鑑みてなされたものであり、現用系に予め設定されている障害の内容以外にも呼応して予備系を現用系に切り換え可能な信号処理装置を提供することを目的としている。
【課題を解決するための手段】
【０００７】
上記課題を解決するために、本発明は、複数の現用ユニットと、１または複数の予備ユニットと、前記複数の現用ユニットから出力される相互に周波数が異なる出力信号を混合して出力する混合部を有する信号処理装置において、前記混合部から出力される信号を入力する入力手段と、前記入力手段から入力される信号から各現用ユニットの出力信号を抽出して当該出力信号の状態を監視する監視手段と、前記監視手段によって前記現用ユニットのうちいずれか１またはいずれか複数の現用ユニットの出力信号の状態が正常でないと判定された場合には、出力信号の状態が正常でないと判定された当該現用ユニットの動作を停止させるとともに、前記予備ユニットの個数を上限として、当該現用ユニットの設定情報を取得して、前記予備ユニットに設定して現用ユニットとして動作を開始させる制御を行う制御手段と、を有し、前記制御手段は、前記監視手段によって前記現用ユニットのうちいずれか１またはいずれか複数の現用ユニットの出力信号の状態が正常でないと判定された場合であって、当該現用ユニットに入力される入力信号の状態が正常であると判定されたときには、当該現用ユニットの動作を停止し、前記予備ユニットに現用ユニットとして動作を開始させる、ことを特徴とする。
このような構成によれば、現用系に予め設定されている障害の内容以外にも呼応して予備系を現用系に切り換え可能な信号処理装置を提供することが可能になる。
【０００８】
また、本発明の一側面は、前記監視手段は、前記入力手段から入力される出力信号を周波数毎に抽出して、出力信号の状態を監視する、ことを特徴とする。
【０００９】
また、本発明は、複数の現用ユニットと、１または複数の予備ユニットと、前記複数の現用ユニットから出力される相互に周波数が異なる出力信号を混合して出力する混合部を有する信号処理装置において、前記混合部から出力される信号を入力する入力手段と、前記入力手段から入力される信号から各現用ユニットの出力信号を抽出して当該出力信号の状態を監視する監視手段と、前記監視手段によって前記現用ユニットのうちいずれか１またはいずれか複数の現用ユニットの出力信号の状態が正常でないと判定された場合には、出力信号の状態が正常でないと判定された当該現用ユニットの動作を停止させるとともに、前記予備ユニットの個数を上限として、当該現用ユニットの設定情報を取得して、前記予備ユニットに設定して現用ユニットとして動作を開始させる制御を行う制御手段と、を有し、前記制御手段は、前記監視手段によって前記現用ユニットのうちいずれか１またはいずれか複数の現用ユニットの出力信号の状態が正常でないと判定された場合であって、出力信号の状態が正常でないと判定された当該現用ユニットに入力される入力信号の状態が正常でないと判定されたときには、当該現用ユニットの動作を停止せず、上位の装置に対して前記入力信号が異常であることを通知することを特徴とする。
【００１０】
また、本発明の一側面は、前記監視手段は、前記入力手段から入力される出力信号を周波数毎に抽出して、出力信号の状態を監視する、ことを特徴とする。
【発明の効果】
【００１１】
本発明によれば、現用系に予め設定されている障害の内容以外にも呼応して予備系を現用系に切り換え可能な信号処理装置を提供することが可能になる。
【図面の簡単な説明】
【００１２】
【図１】本発明の第１実施形態に係る信号処理装置を有する信号処理システムの構成例を示す図である。
【図２】図１に示すサブ装置の構成例を示す図である。
【図３】混合部から出力される信号の状態を示す図である。
【図４】図２に示すサブ装置において実行される処理の一例を説明するためのフローチャートである。
【図５】本発明の第２実施形態に係る信号処理装置を有する信号処理システムの構成例を示す図である。
【図６】図５に示すサブ装置の構成例を示す図である。
【図７】図６に示すサブ装置において実行される処理の一例を説明するためのフローチャートである。
【図８】本発明の変形実施態様を説明するための図である。
【図９】本発明の変形実施態様を説明するための図である。
【図１０】本発明の変形実施態様を説明するための図である。
【図１１】従来の構成例を示す図である。
【図１２】従来の他の構成例を示す図である。
【発明を実施するための形態】
【００１３】
次に、本発明の実施形態について説明する。
【００１４】
（Ａ）第１実施形態の構成の説明
図１は、本発明の第１実施形態に係る信号処理装置を含む信号処理システムの構成例を示す図である。この図１に示すように、本発明の第１実施形態に係る信号処理装置を含む信号処理システムは、メイン装置１０、サブ装置２０、および、端末装置３０−１〜３０−ｎを有している。ここで、メイン装置１０は、例えば、メイン局に配置され、映像信号等を含む放送信号をサブ装置２０に対して、例えば、光伝送路を介して伝送する。サブ装置２０は、例えば、サブ局に配置され、メイン装置１０から送信された放送信号を受信し、電気信号に変換して端末装置３０−１〜３０−ｎに送信する。端末装置３０−１〜３０−ｎは、サブ装置２０から送信された電気信号を受信し、復号処理して映像信号を生成し、例えば、テレビジョン受像機に供給して表示させる。
【００１５】
図２は、図１に示すサブ装置２０の詳細な構成例を示している。この図２に示すように、サブ装置２０は、分配部２１、ユニット２２−１〜２２−４、混合部２３、制御部２４、分配部２５、および、監視部２６を有している。
【００１６】
ここで、分配部２１は、メイン装置１０から光伝送路を経由して伝送された光信号から、各チャンネルの放送信号を抽出し、ユニット２２−１〜２２−３に分配する。
【００１７】
ユニット２２−１〜２２−４は、分配部２１から供給される各チャンネルの放送信号を、それぞれ異なる周波数の搬送波に重畳して、ＲＦ信号として混合部２３に出力する。なお、この図２の例では、ユニット２２−１〜２２−３は現用とされ、ユニット２２−４は、予備とされている。
【００１８】
混合部２３は、ユニット２２−１〜２２−３から出力される周波数の異なるＲＦ信号を混合して分配部２５に出力する。図３は、混合部２３から出力される信号の一例を示している。この図の例では、横軸は周波数を示し、縦軸は信号のレベルを示している。図３に示すように、混合部２３から出力される信号は、例えば、ユニット２２−１〜２２−３に対応する中心周波数がｆ１，ｆ２，ｆ３の異なる３つの周波数の信号が重畳されて出力される。
【００１９】
分配部２５は、混合部２３から出力されるＲＦ信号を２分配し、一方は伝送路を介して端末装置３０−１〜３０−ｎに供給し、他方は監視部２６に供給する。なお、分配部２５の分配率を１：１とすることにより、端末装置３０−１〜３０−ｎに供給される信号と同じレベルの信号を監視部２６に供給することができるので、監視部２６は、ノイズレベル等について、端末装置３０−１〜３０−ｎにおいて受信される信号と同レベルの信号に基づいて監視を行うことができる。
【００２０】
監視部２６は、分配部２５から供給されるＲＦ信号から各周波数の信号を抽出し、それぞれの周波数の信号が正常であるか否かを判定し、判定結果を制御部２４に通知する。なお、監視の内容としては、例えば、信号のレベル、ＢＥＲ（Bit Error Rate：ビット誤り率）、ＭＥＲ（Modulation Error Rate：変調誤差比）、および、Ｃ／Ｎ（Carrier to Noise Ratio：搬送波対雑音比）のようなＲＦ信号の状態を示す指標値がある。また、ＲＦ信号を復調して得られるＴＳ（Transport Stream）信号の状態、同期状態、パケットの連続性、および、ＰＣＲ（Program Clock Reference）を監視することができる。
【００２１】
制御部２４は、監視部２６の監視結果に基づいて、不具合が発生しているユニットが存在する場合には、そのユニットの動作を停止させるとともに、その不具合が発生しているユニットの設定情報を取得し、予備であるユニット２２−４に設定するとともに、この予備のユニット２２−４を、現用のユニットとして動作を開始させる。
【００２２】
（Ｂ）第１実施形態の動作の説明
次に、図１に示す本発明の実施形態について説明する。なお、以下では、図１に示すサブ装置２０において不具合が発生した場合について説明する。例えば、メイン装置１０が正常に動作している場合に、サブ装置２０のユニット２２−１で何らかの不具合が発生したとする。その場合、ユニット２２−１から出力されるＲＦ信号は、例えば、信号のレベルが低下したり、ＢＥＲが増加したり、ＭＥＲが低下したり、Ｃ／Ｎが低下したりする。あるいは、ＴＳ信号の状態が劣化したり、同期状態が劣化したり、パケットの連続性が劣化したり、ＰＣＲの状態が悪化したりする。監視部２６は、図３に示す、複数の周波数が重畳されたＲＦ信号から、例えば、バンドパスフィルタによって特定の周波数の信号を選択的に抽出する。詳細には、監視部２６は、ユニット２２−１に対応する周波数ｆ１の信号を選択的に抽出する。そして、監視部２６は抽出した周波数ｆ１の信号の状態を解析し、正常であるか否かを判定する。その結果、正常でないと判定した場合には、そのユニットに不具合が生じていることを制御部２４に通知する。例えば、ユニット２２−１の信号レベルが低下している場合には、図３に示す周波数ｆ１の信号のレベルが低下するので、監視部２６はこれを検出し、制御部２４に対して、ユニット２２−１で不具合が発生していることを通知する。
【００２３】
制御部２４は、監視部２６から不具合の発生が通知されると、まず、不具合が発生しているユニットを停止させるとともに、そのユニットから設定情報を取得し、予備であるユニット２２−４に設定し、この予備のユニット２２−４を、現用のユニットとしての動作を開始させる。いまの例では、ユニット２２−１において信号レベルの低下が発生しているので、制御部２４は、ユニット２２−１の動作を停止させるとともに、ユニット２２−１から設定情報を取得する。そして、所得した設定情報をユニット２２−４に供給し、ユニット２２−４に設定する。設定が完了すると、制御部２４は、ユニット２２−４を、現用として起動する。これにより、不具合が発生した現用のユニット２２−１を停止するとともに、予備のユニット２２−４を、現用のユニット２２−１の代わりに動作を開始させることができる。
【００２４】
以上に説明したように、本発明の実施形態では、監視部２６によって、現用のユニット２２−１〜２２−３の出力信号を監視し、これらの出力信号に異常が発生した場合には、その異常が発生したユニットを特定し、対応するユニットを制御部２４が停止させるとともに、そのユニットの設定情報を取得して予備のユニット２２−４に設定して起動するようにした。このため、監視部２６に設定されている不具合を判定するための情報のみを変更することで、設計時には想定していない不具合に対応して、現用のユニットを停止して予備のユニットに切り換えることが可能になる。
【００２５】
次に、図４に示すフローチャートに基づいて図２に示すサブ装置２０において実行される処理の詳細について説明する。図４に示すフローチャートの処理が開始されると、以下のステップが実行される。
【００２６】
ステップＳ１０では、監視部２６は、監視対象となる現用のユニットのキャリア（搬送波）周波数ｆｃを選択する。例えば、ユニット２２−１に対応する周波数ｆ１のキャリア周波数が選択される。
【００２７】
ステップＳ１１では、監視部２６は、ステップＳ１０で選択されたキャリア周波数ｆｃの信号を分配部２５の出力信号から受信する。いまの例では、ユニット２２−１に対応する周波数ｆ１のキャリア周波数の信号が受信される。
【００２８】
ステップＳ１２では、監視部２６は、ステップＳ１１で受信した信号のＲＦ信号状態を検査する。より詳細には、ＲＦ信号のレベルの低下、ＢＥＲの増加、ＭＥＲの低下、Ｃ／Ｎの低下等を検査する。いまの例では、ユニット２２−１に対応する周波数ｆ１の信号のＲＦ信号状態が検査される。
【００２９】
ステップＳ１３では、監視部２６は、ステップＳ１１で受信した信号のＴＳ状態を検査する。いまの例では、ユニット２２−１に対応する周波数ｆ１の信号が復号され、復号された信号に基づいてＴＳ状態が検査される。また、パケットの同期状態、連続性、および、ＰＣＲ等を検出する。いまの例では、ユニット２２−１に対応する周波数ｆ１の信号が復号され、復号された信号に基づいてパケット状態が検査される。
【００３０】
ステップＳ１４では、監視部２６は、ステップＳ１２〜Ｓ１３の検査結果に基づいて、対象となるユニットが正常であるか否かを判定し、正常であると判定した場合（ステップＳ１４：Ｙｅｓ）にはステップＳ２０に進み、それ以外の場合（ステップＳ１４：Ｎｏ）にはステップＳ１５に進む。いまの例では、ユニット２２−１に不具合が発生しているので、ステップＳ１４では、Ｎｏと判定されてステップＳ１５に進む。
【００３１】
ステップＳ１５では、監視部２６は異常の発生を制御部２４に通知する。いまの例では、ユニット２２−１に異常が発生しているので、監視部２６は、ユニット２２−１において異常が発生していることを制御部２４に通知する。
【００３２】
ステップＳ１６では、制御部２４は、ステップＳ１５において監視部２６から通知されたユニットから設定情報を取得する。いまの例では、ユニット２２−１において異常が発生しているので、ユニット２２−１の設定情報が取得される。なお、設定情報としては、例えば、対象となるチャンネルを示す情報や、キャリアの周波数を示す情報等がある。
【００３３】
ステップＳ１７では、制御部２４は、ステップＳ１６において取得した設定情報を、予備のユニットに対して設定する。いまの例では、ユニット２２−１に異常が発生しているので、このユニット２２−１の設定情報が取得され、ユニット２２−４に設定される。
【００３４】
ステップＳ１８では、制御部２４は、異常が発生した現用のユニットの動作を停止させる。いまの例では、ユニット２２−１に異常が発生しているので、このユニット２２−１の動作が停止される。
【００３５】
ステップＳ１９では、制御部２４は、予備のユニットの動作を開始させる。いまの例では、現用のユニット２２−１の情報が設定された予備のユニット２２−４の動作が開始される。この結果、予備のユニット２２−４は、現用のユニット２２−１に代替して動作する。
【００３６】
ステップＳ２０では、制御部２４は、監視を継続するか否かを判定し、監視を継続しないと判定した場合（ステップＳ２０：Ｎｏ）には処理を終了し、それ以外の場合（ステップＳ２０：Ｙｅｓ）にはステップＳ１０に戻って、前述の場合と同様の処理を繰り返す。
【００３７】
以上の処理によれば、監視部２６によって現用のユニットの異常が検出された場合には、制御部２４が、異常が検出されたユニットの設定情報を取得し、予備のユニットに設定するとともに、異常が検出されたユニットの動作を停止させ、予備のユニットの動作を開始させることができる。これにより、異常が発生した現用のユニットから予備のユニットに円滑に切り換えることが可能になる。また、監視部２６に設定されている情報を一括して更新することによって、設計時に想定していない不具合に対しても監視対象とすることができる。
【００３８】
（Ｃ）第２実施形態の構成の説明
次に、本発明の第２実施形態について説明する。図５は、本発明の第２実施形態の構成例を説明するための図である。なお、図５において、図１と対応する部分には同一の符号を付してその説明を省略する。図５では、図１と比較すると、メイン装置１０とサブ装置２０とがネットワーク５０によって接続されている。
【００３９】
図６は、図５に示すサブ装置２０の構成例を示している。なお、図６において図２と対応する部分には同一の符号を付してその説明を省略する。図６に示す構成例では、図２と比較すると、各ユニット２２−１〜２２−４の入力信号の状態が制御部２４に通知され、制御部２４がネットワーク５０に接続されている。これら以外の構成は、図２の場合と同様である。
【００４０】
（Ｄ）第２実施形態の動作の説明
次に、第２実施形態の動作について説明する。第２実施形態では、出力信号の異常を検出した場合、制御部２４は、対応するユニットの入力信号の状態を参照して、入力信号が正常か否かを確認する。そして、入力信号が正常でない場合には、ユニットの異常ではないと判定し、ユニットの切り換えを行わない。一方、入力信号が正常である場合には、サブ装置２０の監視対象となっているユニットの故障である可能性が高いので、そのユニットを予備のユニット２２−４に切り換える処理を実行する。より詳細には、例えば、監視部２６がユニット２２−１に対応する周波数ｆ１のキャリア周波数の出力信号が異常であると判定した場合には、制御部２４が対応するユニット２２−１の入力信号が正常であるか否かを判定し、正常であると判定した場合には、ユニット２２−１の故障であるとして、ユニット２２−１をユニット２２−４に切り換える。一方、正常でないと判定した場合には、ユニット２２−１以外の部分の故障であると判定し、ユニット２２−１の切り換えは実行しない。
【００４１】
以上の動作によれば、分配部２５の出力信号が異常になった場合には、ユニット２２−１〜２２−３の入力信号の状態を調べ、入力信号が正常と判定された場合に、ユニットの切り換えを実行するようにしたので、ユニットが異常な場合にのみ切り換えを行うことができる。また、ユニット以外の部分の故障であるにも拘わらず、ユニットを切り換えると、予備のユニット２２−４を不必要に使用してしまうが、第２実施形態によれば、そのような事態を回避することができる。
【００４２】
次に、図７を参照して、図５に示す第２実施形態において実行される処理の詳細について説明する。図７は、図５に示すサブ装置２０において実行される処理の一例を説明するためのフローチャートである。このフローチャートの処理が開始されると、以下のステップが実行される。なお、図７に示すフローチャートにおいて、図４に示すフローチャートと対応する部分には、同一の符号を付してその説明を省略する。図７では、図４と比較すると、ステップＳ３１〜Ｓ３３の処理が追加されている。それ以外の処理は、図４の場合と同様である。以下では、図４と異なる部分に注目して説明する。
【００４３】
ステップＳ１０〜Ｓ１３では、図４と同様に、キャリア周波数ｆｃを選択し、各ユニットの出力信号を検査し、ステップＳ１４において正常か否かを判定する。ステップＳ１４において、正常であると判定された場合にはステップＳ２０に進み、それ以外の場合にはステップＳ３１に進む。ステップＳ３１以降では、以下の処理を実行する。
【００４４】
ステップＳ３１では、制御部２４は、ステップＳ１４において異常と判定された出力に対応するユニットに対して問い合わせを行う。なお、その際、ステップＳ１４の処理において異常と判定された情報を、監視部２６から制御部２４に通知するようにしてもよい。
【００４５】
ステップＳ３２では、ステップＳ３１において問い合わせを受けたユニットは、分配部２１からの入力信号の状態（正常／異常）を取得する。なお、ステップＳ３１において異常に関する情報が通知されている場合は、その情報を参照して判定することで、短時間で異常の有無を正確に判定することができる。
【００４６】
ステップＳ３３では、制御部２４は、ステップＳ３２において取得した情報に基づいて、ＴＳまたはパケットの異常が、ユニットの入力信号の異常に起因するか否かを判定し、入力信号の異常であると判定した場合（ステップＳ３３：Ｙｅｓ）にはステップＳ２０に進む。また、入力信号の異常ではないと判定した場合（ステップＳ３３：Ｎｏ）にはステップＳ１５に進む。
【００４７】
なお、ステップＳ１５〜Ｓ２０においては、前述の場合と同様の処理が実行される。
【００４８】
以上に説明したように、図７に示すフローチャートによれば、入力信号の異常か否かも判定して、予備を現用に切り換えるようにしたので、入力信号の異常も合わせて判定することで、誤判断に基づく切り換えを防止することができる。
【００４９】
（Ｅ）変形実施形態の説明
以上の各実施形態は一例であって、本発明が上述したような場合のみに限定されるものでないことはいうまでもない。例えば、以上の実施形態では、３つの現用のユニット２２−１〜２２−３と、１つの予備のユニット２２−４を設けるようにしたが、１つ、２つ、または、４つ以上の現用のユニットを設けたり、または、２つ以上の予備のユニットを設けたりするようにしてもよい。
【００５０】
また、以上の実施形態では、メイン装置１０およびサブ装置２０は、それぞれ１つずつ存在するようにしたが、２つ以上存在するようにしてもよい。
【００５１】
また、以上の実施形態では、監視部２６を１つだけ設けるようにしたが、図８に示すように、複数の監視部２６−１〜２６−ｎ（ｎ≧２）を設けるようにしてもよい。このように複数の監視部２６−１〜２６−ｎを設けることにより、例えば、１つの監視部によって異常が検出された場合に、他の監視部によって再度チェックすることにより、異常検出の精度を向上させることができる。あるいは、複数の監視部２６−１〜２６−ｎを独立して分散動作させることにより、監視に要する時間を短縮することが可能になる。あるいは、１つの監視部を１つのユニット専用に固定し、他の監視部によってその他のユニットを分散監視することにより、特定のユニット（例えば、震災情報等の重要度が高い放送を処理するユニット）を重点的に監視することができる。なお、監視部自体を複数設けるのではなく、監視部に内蔵されている受信部を複数設けることにより、単一の受信部の場合よりも受信に要する時間を短縮するようにしてもよい。
【００５２】
また、以上の実施形態では、サブ装置２０を構成する各ユニットが正常であるか否かを判定するようにしたが、例えば、サブ装置２０において入力信号の異常が検出された場合には、ネットワーク５０を介してその情報をセンター装置１０に通知し、センター装置１０において、必要に応じて対応するユニットの切り換えを行うようにしてもよい。図９は、メイン装置１０がユニットの切り換えを可能とする構成例を示している。この例では、メイン装置１０は、入力分配部１１、ユニット１２−１〜１２―４、混合部１３、および、制御部１４を有している。ここで、入力分配部１１は、メイン装置１０に入力される、例えば、ＲＦ信号をユニット１２−１〜１２−４に分配する。ユニット１２−１〜１２−４のうち、ユニット１２−１〜１２−３は現用ユニットであり、ユニット１２−４は予備ユニットである。混合部１３はユニット１２−１〜１２−４から出力される信号を混合して出力する。制御部１４は、サブ装置２０においてユニット２２−１〜２２−３の入力信号が異常と判定された場合には、対応するユニット１２−１〜１２−３の入力信号が正常か否かを判定し、ユニット１２−１〜１２−３の入力信号が正常である場合にはユニット１２−１〜１２−３が異常である可能性が高いと判定して切り換え処理を実行する。具体的には、例えば、サブ装置２０においてユニット２２−１の入力信号が異常と判定された場合には、対応するユニット１２−１の入力信号が正常か否かを判定し、ユニット１２−１の入力信号が正常である場合にはユニット１２−１が異常である可能性が高いと判定し、ユニット１２−１の動作を停止させ、ユニット１２−１の設定情報を取得し、予備であるユニット１２−４に設定するとともに、この予備のユニット１２−４を、現用のユニットとして動作を開始させる。このような構成によれば、センター装置１０においてもユニットの切り換え動作を実行することにより、異常からの復帰の可能性を高め、信頼性を向上させることが可能になる。なお、センター装置１０において、ユニットを切り換えた場合でも、サブ装置２０の入力信号が異常である場合には、光伝送路で異常が生じていると判定することができる。その場合、光伝送路が二重化されている場合には、光伝送路を切り換えるようにしてもよい。
【００５３】
また、以上の各実施形態では、メイン装置１０およびサブ装置２０に制御部１４，２４を配置するようにしたが、例えば、メイン装置１０およびサブ装置２０のいずれか一方に制御部を設け、この１つの制御部によってシステム全体を制御するようにしてもよい。一例として、メイン装置１０にのみ制御部１４を設ける場合、制御部１４は、ユニット１２−１〜１２−４を制御するとともに、ネットワーク５０を介して、サブ装置２０の監視部２６の情報を取得し、取得した情報に基づいて、ユニット２２−１〜２２−４を制御するようにしてもよい。あるいは、図１０に示すように、ネットワーク５０上に制御部６０を設け、この制御部６０がサブ装置２０の監視部２６の情報を直接取得し、取得した情報に基づいてメイン装置１０およびサブ装置２０の状態を判定するとともに、判定結果に基づいてメイン装置１０およびサブ装置２０のユニットを制御するようにしてもよい。このような構成によれば、制御部を統括することで、装置の構成を簡略化するとともに、この制御部６０にシステムの全ての情報が集まるので、管理者はこの制御部６０の状態を見ればシステム全体の状況が判断できる。
【００５４】
また、以上の実施形態では、監視部２６が監視する項目を、例えば、ユニット毎に設定可能にしてもよい。そのような構成によれば、監視項目を柔軟に設定することができる。また、そのような構成によれば、各ユニットに対して、後発的に監視項目が増加した場合であっても、監視部２６の設定のみを追加すれば良いことから、簡単に監視項目を追加することができる。
【００５５】
また、以上の実施形態では、ＲＦ信号状態、ＴＳ状態、および、パケット状態を監視するようにしたが、これは一例であって、これ以外の項目を監視するようにしてもよい。
【００５６】
また、以上の実施の形態では、監視部２６の監視結果を制御部２４に伝え、制御部２４がユニット２２−１〜２２−４を制御するようにしたが、監視部２６がユニット２２−１〜２２−４を直接制御するようにしてもよい。
【００５７】
また、以上の実施形態では、分配部２５は、１：１の分配比率の場合を例に挙げて説明したが、これ以外の分配比率であってもよい。なお、分配比率が１：１の場合には、端末装置３０−１〜３０−ｎに供給される信号と同じレベルの信号を監視対象とすることができる。
【符号の説明】
【００５８】
１０  メイン装置
２０  サブ装置
２１  受信部
２２−１〜２２−４  ユニット
２３  混合部
２４  制御部（制御手段）
２５  分配部
２６  監視部（入力手段、監視手段）
３０−１〜３０−ｎ  端末装置
４１，４２  通信線路
５０  ネットワーク
【要約】
【課題】予め設定されている障害の内容以外にも呼応して予備系を現用系に切り換え可能な信号処理装置を提供すること。
【解決手段】複数の現用ユニット２２−１〜２２−３と、１または複数の予備ユニット２２−４と、現用ユニットの出力信号を混合して出力する混合部２３を有する信号処理装置において、混合部から出力される信号を入力する入力手段（監視部２６）と、入力手段から入力される信号から各現用ユニットの出力信号を抽出して当該出力信号の状態を監視する監視手段（監視部２６）と、監視手段によって出力信号の状態が正常でないと判定された場合には、当該現用ユニットの動作を停止させるとともに、当該現用ユニットの設定情報を取得して、予備ユニットに設定して現用ユニットとして動作を開始させる制御を行う制御手段（制御部２４）と、を有する。
【選択図】図２【図１】
0005480429.tif 000002
【図２】
0005480429.tif 000003
【図３】
0005480429.tif 000004
【図４】
0005480429.tif 000005
【図５】
0005480429.tif 000006
【図６】
0005480429.tif 000007
【図７】
0005480429.tif 000008
【図８】
0005480429.tif 000009
【図９】
0005480429.tif 000010
【図１０】
0005480429.tif 000011
【図１１】
0005480429.tif 000012
【図１２】
0005480429.tif 000013